(57)【要約】【課題】全階床での同一機器の使用を可能し、生産コストを抑え、生産性の向上を図る。【解決手段】かごの走行方向を表示する方向灯１６，１７と、かご位置を表示するかご位置表示灯１１〜１５と、乗場表示器の設置階床を登録するロータリースイッチ２３と、エレベーター制御盤２５から走行方向およびかご位置の情報を取得して、走行方向に基づいて方向灯１６，１７を制御し、かご位置と設置階床とに基づいて、かご位置表示灯１１〜１５の点灯動作を制御する乗場制御回路２１とを備え、かご位置表示灯１１〜１５は、かご位置が設置階床の時に点灯する設置階床ランプ１１とかご接近情報を表示するかご接近情報表示ランプ１２〜１５を含み、乗場制御回路２１は、かご位置が設置階床よりも上の階床にあるときは設置階床ランプ１１より上のかご接近情報表示ランプ１２，１４を点灯または点滅させ、下の階床にあるときは設置階床ランプ１１より下のかご接近情報表示ランプ１３，１５を点灯または点滅させる。【選択図】図３
2016003074.tif 000002
【特許請求の範囲】
【請求項１】
エレベーターの乗場に設置されるエレベーターの乗場表示器であって、
前記エレベーターのかごの走行方向を表示する方向灯と、
前記かごの現在のかご位置を表示する縦方向に配置された３個以上のかご位置表示灯と、
前記エレベーターの乗場表示器の設置階床の情報を登録する設置階床登録部と、
外部に設けられたエレベーター制御盤から前記走行方向の情報および前記かご位置の情報を取得するとともに、前記設置階床登録部によって登録された前記設置階床の情報を取得して、前記走行方向の情報に基づいて前記方向灯の点灯動作を制御するとともに、前記かご位置の情報と前記設置階床の情報とに基づいて、前記かご位置表示灯の点灯動作を制御する乗場制御部と
を備え、
前記かご位置表示灯は、
前記縦方向の中央位置に配置され、前記かご位置が前記設置階床にあるときに点灯する設置階床ランプと、
前記設置階床ランプの上下の位置に分かれて配置され、前記かご位置が前記設置階床より上または下の位置にあるときにそれぞれ点灯または点滅する２個以上のかご接近情報表示ランプと
を含み、
前記乗場制御部は、
前記かご位置が前記設置階床よりも上の階床にあるときは、前記設置階床ランプの上の位置に配置されている前記かご接近情報表示ランプを点灯または点滅させ、
前記かご位置が前記設置階床よりも下の階床にあるときは、前記設置階床ランプの下の位置に配置されている前記かご接近情報表示ランプを点灯または点滅させることで
前記かごの前記設置階床への接近情報を表示する
エレベーターの乗場表示器。
【請求項２】
前記乗場制御部は、
前記かご位置が前記設置階床よりもＮ階上の階床にあるときに、
前記設置階床ランプのＮ個上の位置に前記かご接近情報表示ランプが有る場合は、当該かご接近情報表示ランプを点灯させ、
前記設置階床ランプのＮ個上の位置に前記かご接近情報表示ランプが無い場合は、最も上の位置に配置されている前記かご接近情報表示ランプを予め設定された点滅パターンで点滅させ、
前記かご位置が前記設置階床よりもＮ階下の階床にあるときに、
前記設置階床ランプのＮ個下の位置に前記かご接近情報表示ランプが有る場合は、当該かご接近情報表示ランプを点灯させ、
前記設置階床ランプのＮ個下の位置に前記かご接近情報表示ランプが無い場合は、最も下の位置に配置されている前記かご接近情報表示ランプを予め設定された点滅パターンで点滅させる
請求項１に記載のエレベーターの乗場表示器。
【請求項３】
前記点滅パターンは、前記かご位置と前記設置階床との間の距離に応じて設定され、当該距離の増加に応じて点滅速度が遅くなるように設定される
請求項２に記載のエレベーターの乗場表示器。
【請求項４】
前記点滅パターンは、一定周期で繰り返され、当該周期における点灯時間と消灯時間の比は前記かご位置と前記設置階床との間の距離に応じて設定され、当該距離の増加に応じて点灯時間の比率が小さくなるように設定される
請求項２に記載のエレベーターの乗場表示器。
【請求項５】
前記エレベーターの乗場呼びを登録するための乗場呼びボタンをさらに備え、
前記設置階床に関する情報は、前記乗場呼びボタンに特定の操作を行うことにより、前記設置階床登録部に登録される
請求項１から４までのいずれか１項に記載のエレベーターの乗場表示器。
【請求項６】
エレベーターの乗場に設置されるエレベーターの乗場表示器であって、
前記エレベーターのかごの走行方向を表示する方向灯と、
前記かごの現在のかご位置を表示する横方向に配置された３個以上のかご位置表示灯と、
前記エレベーターの乗場表示器の設置階床の情報を登録する設置階床登録部と、
外部に設けられたエレベーター制御盤から前記走行方向の情報および前記かご位置の情報を取得するとともに、前記設置階床登録部によって登録された前記設置階床の情報を取得して、前記走行方向の情報に基づいて前記方向灯の点灯動作を制御するとともに、前記かご位置の情報と前記設置階床の情報とに基づいて、前記かご位置表示灯の点灯動作を制御する乗場制御部と
を備え、
前記かご位置表示灯は、
前記横方向の中央位置に配置され、前記かご位置が前記設置階床にあるときに点灯する設置階床ランプと、
前記設置階床ランプの左右の位置に分かれて配置され、前記かご位置が前記設置階床より上または下の位置にあるときにそれぞれ点灯または点滅する２個以上のかご接近情報表示ランプと
を含み、
前記乗場制御部は、
前記かご位置が前記設置階床よりも上の階床にあるときは、前記設置階床ランプの左右のうちのいずれか一方の位置に配置されている前記かご接近情報表示ランプを点灯または点滅させ、
前記かご位置が前記設置階床よりも下の階床にあるときは、前記設置階床ランプの左右のうちの他方の位置に配置されている前記かご接近情報表示ランプを点灯または点滅させることで
前記かごの前記設置階床への接近情報を表示する
エレベーターの乗場表示器。
【発明の詳細な説明】
【技術分野】
【０００１】
この発明はエレベーターの乗場表示器に関し、特に、エレベーター乗場に設置され、エレベーターのかごの走行方向およびかごの接近情報を表示するエレベーターの乗場表示器に関する。
【背景技術】
【０００２】
従来のエレベーター表示装置は、各停止階床を示す階床名が表示された複数のランプを備え、かごの走行に伴い、かご位置に応じたランプが順次点灯する（例えば、特許文献１参照）。
【先行技術文献】
【特許文献】
【０００３】
【特許文献１】特開昭５９−６４４８１号公報（特に、図１）
【発明の概要】
【発明が解決しようとする課題】
【０００４】
しかしながら、エレベーターの停止階床は建物毎に違うため、特許文献１のエレベーター表示装置を作成する場合、建物毎に、停止階床数に合わせてランプの個数を換え、かつ、それらのランプに各停止階床の階床名を表示して、エレベーター表示装置を作成する必要がある。そのため、同一品を大量生産する場合に比べて、生産性が落ちるという問題点があった。また、停止階床の多い建物では、ランプの個数が増え、エレベーター表示装置自体の生産コストが高額になってしまうという問題点もあった。
【０００５】
この発明は、かかる問題点を解決するためになされたものであり、生産コストを抑え、生産性の向上を図ることが可能な、エレベーターの乗場表示器を得ることを目的としている。
【課題を解決するための手段】
【０００６】
この発明は、エレベーターの乗場に設置されるエレベーターの乗場表示器であって、前記エレベーターのかごの走行方向を表示する方向灯と、前記かごの現在のかご位置を表示する縦方向に配置された３個以上のかご位置表示灯と、前記エレベーターの乗場表示器の設置階床の情報を登録する設置階床登録部と、外部に設けられたエレベーター制御盤から前記走行方向の情報および前記かご位置の情報を取得するとともに、前記設置階床登録部によって登録された前記設置階床の情報を取得して、前記走行方向の情報に基づいて前記方向灯の点灯動作を制御するとともに、前記かご位置の情報と前記設置階床の情報とに基づいて、前記かご位置表示灯の点灯動作を制御する乗場制御部とを備え、前記かご位置表示灯は、前記縦方向の中央位置に配置され、前記かご位置が前記設置階床にあるときに点灯する設置階床ランプと、前記設置階床ランプの上下の位置に分かれて配置され、前記かご位置が前記設置階床より上または下の位置にあるときにそれぞれ点灯または点滅する２個以上のかご接近情報表示ランプとを含み、前記乗場制御部は、前記かご位置が前記設置階床よりも上の階床にあるときは、前記設置階床ランプの上の位置に配置されている前記かご接近情報表示ランプを点灯または点滅させ、前記かご位置が前記設置階床よりも下の階床にあるときは、前記設置階床ランプの下の位置に配置されている前記かご接近情報表示ランプを点灯または点滅させることで前記かごの前記設置階床への接近情報を表示する
エレベーターの乗場表示器である。
【発明の効果】
【０００７】
この発明は、乗場制御部が、かご位置の情報と登録された設置階床の情報とに基づいてかご位置表示灯の点灯動作を制御し、かご位置が設置階床にあるときはかご位置表示灯の中の設置階床ランプを点灯させ、かご位置が設置階床より上下の位置にあるときはかご位置表示灯の中の設置階床ランプより上または下に配置されたかご接近情報表示ランプを点灯または点滅させることで、かごの接近情報を表示する構成にしたので、エレベーターの乗場表示器の据付時に設置階床登録部に設置階床の情報を登録するだけで、建物毎にランプの個数を変える必要もなく、かつ、ランプに階床名を表示することもなく、建物の全階床で同一のエレベーターの乗場表示器を使用することができるため、エレベーターの乗場表示器の生産コストを抑え、生産性の向上を図ることができる。
【図面の簡単な説明】
【０００８】
【図１】この発明の実施の形態１に係るエレベーターの乗場表示器が設けられた乗場の構成を示した正面図である。
【図２】この発明の実施の形態１に係るエレベーターの乗場表示器の外観の一例を示した正面図である。
【図３】実施の形態１に係るエレベーターの乗場表示器の外観の他の例と、エレベーターの乗場表示器の内部構成とを示した図である。
【発明を実施するための形態】
【０００９】
実施の形態１．
図１は、この発明の実施の形態１に係るエレベーターの乗場表示器７が設置された設置階床の乗場を示した正面図である。
【００１０】
図１に示すように、本実施の形態１に係るエレベーターの乗場表示器７が設置された設置階床の乗場４には、エレベータードア１と、エレベータードア１の周囲の乗場壁３に固定された出入口枠２とが設けられている。
出入口枠２は、左右両側に立設された第１縦枠２ａ及び第２縦枠２ｂと、第１縦枠２ａ及び第２縦枠２ｂの上部間で両者を連結して設けられた上枠２ｃとを備え、乗場４の床面とともに乗場出入口を形成している。
【００１１】
本実施の形態においては、図１に示すように、出入口枠２の第１縦枠２ａに、エレベーターの乗場表示器７が設けられている。
【００１２】
図２は、本実施の形態に係るエレベーターの乗場表示器７を拡大表示した正面図である。図２に示すように、エレベーターの乗場表示器７には、表示部（インジケータ部）１０内に、かごの走行方向を表示するための方向灯９と、かご位置およびかごの接近情報を表示するためのかご位置表示灯８とが設けられている。
【００１３】
方向灯９は、図２に示すように、上方向の方向灯１６と下方向の方向灯１７とを含む。上方向の方向灯１６はかごが上方向（上昇方向）に走行している場合に点灯し、下方向の方向灯１７はかごが下方向（下降方向）に走行している場合に点灯する。
【００１４】
かご位置表示灯８には、現在のかご位置がエレベーターの乗場表示器７が設置された設置階床にあること（すなわち、かごが設置階床に到着または停止中）を利用者に表示するための設置階床ランプ１１と、かごの接近情報を利用者に表示するためのかご接近情報表示ランプ１２〜１５とが設けられている。図２では、かご位置表示灯８に、１つの設置階床ランプ１１、および、４つのかご接近情報表示ランプ１２〜１５の計５個のランプが配置されている場合を例として図示しているが、この場合に限らず、ランプの個数は、適宜、任意の個数に設定してよい。
【００１５】
まず、設置階床ランプ１１について説明する。
設置階床ランプ１１は、エレベーターの乗場表示器７の表示部１０の垂直方向（高さ方向）の中央位置に配置されている。設置階床ランプ１１は、現在のかご位置が、エレベーターの乗場表示器７が設置されている設置階床である場合に点灯する。すなわち、エレベーターの乗場表示器７が１０階に設置されている場合、かごが１０階に到着または停止している場合に、設置階床ランプ１１が点灯する。
【００１６】
なお、設置階床ランプ１１の外形形状は、図２に示すように、かご接近情報表示ランプ１２〜１５と同じ円形となっている。このように、設置階床ランプ１１の形状は、かご接近情報表示ランプ１２〜１５と、同型または類似した形状となっており、協調的なデザインとなっている。また、図２の例では、円形となっているが、正方形などの矩形でもよい。また、設置階床ランプ１１の大きさ（直径）は、図２に示すように、かご接近情報表示ランプ１２〜１５の大きさ（直径）に対して大きく、最も目立つようにデザインされている。図２の例では、設置階床ランプ１１の開口部が、かご接近情報表示ランプ１２，１３より大きくなっているが、利用者の目に負担をかけないように、設置階床ランプ１１の開口部の中央に遮蔽部が設けられている。設置階床ランプ１１のデザインは、この場合に限定されるものではなく、例えば、設置階床ランプ１１の開口部とかご接近情報表示ランプ１２，１３の開口部とを同じ大きさにし、設置階床ランプ１１だけには、その外側に円形の枠を設けるようにしてもよい。この場合も、当該枠を含めると、設置階床ランプ１１の大きさ（直径）が最も大きく、設置階床ランプ１１が最も目立つデザインとなる。なお、図２の例では、かご接近情報表示ランプ１４，１５の大きさは、かご接近情報表示ランプ１２，１３より小さくなっているが、これも限定されることなく、かご接近情報表示ランプ１２〜１５はすべて同じ大きさでもよい。ただし、設置階床ランプ１１の大きさ（直径）だけは、必ず、かご接近情報表示ランプ１２〜１５よりも大きくすることで、利用者は、自身が現在かご待ちをしている上記設置階床に設置階床ランプ１１が対応していることを即座に認識することができる。また、設置階床ランプ１１を構成するランプとしては、例えばＬＥＤ電球を用いればよく、かご接近情報表示ランプ１２，１３を構成するランプと同じ機種のＬＥＤ電球を使用してもよいが、設置階床ランプ１１のＬＥＤ電球の出力（ワット数）だけを大きくしてもよい。このようなデザインにすることで、本実施の形態では、設置階床ランプ１１が設置階床に対応し、他のかご接近情報表示ランプ１２〜１５が設置階床より上または下の階床に対応していることを利用者に伝えるため、設置階床ランプ１１およびかご接近情報表示ランプ１２〜１５に階床名を表示する必要がなく、従って、各建物、および、各階床で、全く同じデザイン・仕様のエレベーターの乗場表示器７をそのまま使用することができる。これにより、エレベーターの乗場表示器７を大量生産することができ、製品のコストを抑えることができる。また、方向灯１６，１７、設置階床ランプ１１およびかご接近情報表示ランプ１２〜１５を、すべてＬＥＤ電球で構成し、ＬＥＤ基板を１枚基板で構成するようにすれば、さらにコストを抑えることができる。
【００１７】
次に、かご接近情報表示ランプ１２〜１５について説明する。
【００１８】
かご接近情報表示ランプ（間近）１２は、エレベーターの乗場表示器７が設置されている設置階床より１つ上の階にかご位置がある場合に、点灯する。具体的には、設置階床が「１０階」の場合、かご位置が「１１階」のときに点灯する。
【００１９】
かご接近情報表示ランプ（間近）１３は、エレベーターの乗場表示器７が設置されている設置階床より１つ下の階にかご位置がある場合に、点灯する。具体的には、設置階床が「１０階」の場合、かご位置が「９階」のときに点灯する。
【００２０】
かご接近情報表示ランプ（間遠）１４は、エレベーターの乗場表示器７が設置されている設置階床より２つ上の階にかご位置がある場合に点灯する。具体的には、設置階床が「１０階」の場合、かご位置が「１２階」のときに点灯する。
また、かご接近情報表示ランプ（間遠）１４は、エレベーターの乗場表示器７が設置されている設置階床より、３つ以上、上の階にかご位置がある場合に、以下のような点滅パターンで点滅する。
かご位置が当該設置階床より３つ上の階にある場合、かご接近情報表示ランプ（間遠）１４は、例えば、周期２秒で、点灯１．５秒、消灯０．５秒の点滅パターンで点滅する。具体的には、設置階床が「１０階」の場合、かご位置が「１３階」のときに、当該点滅パターンで点滅する。
また、かご位置が当該設置階床より４つ上の階にある場合、かご接近情報表示ランプ（間遠）１４は、例えば、周期２秒で、点灯１．０秒、消灯１．０秒の点滅パターンで点滅する。具体的には、設置階床が「１０階」の場合、かご位置が「１４階」のときに、当該点滅パターンで点滅する。
また、かご位置が当該設置階床より５つ上の階にある場合、かご接近情報表示ランプ（間遠）１４は、例えば、周期２秒で、点灯０．５秒、消灯１．５秒の点滅パターンで点滅する。具体的には、設置階床が「１０階」の場合、かご位置が「１５階」のときに、当該点滅パターンで点滅する。
かご位置が当該設置階床より、６つ以上、上の階にある場合には、いずれのランプも点灯させずに消灯させておくか、あるいは、周期を２秒より長くし、点灯時間を０．５秒以下に設定した点滅パターンで点滅させる。具体的には、設置階床が「１０階」の場合、かご位置が「１６階」以上のときに、消灯または当該点滅パターンで点滅する。
【００２１】
かご接近情報表示ランプ（間遠）１５は、エレベーターの乗場表示器７が設置されている設置階床より２つ下の階にかご位置がある場合に点灯する。具体的には、設置階床が「１０階」の場合、かご位置が「８階」のときに点灯する。
また、かご接近情報表示ランプ（間遠）１５は、エレベーターの乗場表示器７が設置されている設置階床より、３つ以上、下の階にかご位置がある場合に、以下のような点滅パターンで点滅する。
かご位置が当該設置階床より３つ下の階にある場合、かご接近情報表示ランプ（間遠）１５は、例えば、周期２秒で、点灯１．５秒、消灯０．５秒の点滅パターンで点滅する。具体的には、設置階床が「１０階」の場合、かご位置が「７階」のときに、当該点滅パターンで点滅する。
また、かご位置が当該設置階床より４つ下の階にある場合、かご接近情報表示ランプ（間遠）１５は、例えば、周期２秒で、点灯１．０秒、消灯１．０秒の点滅パターンで点滅する。具体的には、設置階床が「１０階」の場合、かご位置が「６階」のときに、当該点滅パターンで点滅する。
また、かご位置が当該設置階床より５つ下の階にある場合、かご接近情報表示ランプ（間遠）１５は、例えば、周期２秒で、点灯０．５秒、消灯１．５秒の点滅パターンで点滅する。具体的には、設置階床が「１０階」の場合、かご位置が「５階」のときに、当該点滅パターンで点滅する。
かご位置が当該設置階床より、６つ以上、下の階にある場合には、いずれのランプも点灯させずに消灯させておくか、あるいは、周期を２秒より長くし、点灯時間を０．５秒以下に設定した点滅パターンで点滅させる。具体的には、設置階床が「１０階」の場合、かご位置が「４階」以下のときに、消灯または当該点滅パターンで点滅する。
【００２２】
なお、かご接近情報表示ランプ（間遠）１４，１５における、各点滅パターンの周期、点灯時間、および、消灯時間は、上記の例に限定されるものではなく、適宜設定すればよい。
【００２３】
このように、本実施の形態においては、かご接近情報表示ランプ１２〜１５において、かご位置が設置階床よりもＮ階上の階床（階床差＝Ｎ）にあるときに、設置階床ランプ１１のＮ個上の位置にかご接近情報表示ランプ１２〜１５のいずれかが有れば、当該かご接近情報表示ランプを点灯させるが、設置階床ランプ１１のＮ個上の位置にかご接近情報表示ランプ１２〜１５が無ければ、その代わりに、最も上の位置に配置されているかご接近情報表示ランプを予め設定された点滅パターンで点滅させる。すなわち、図２の例で説明すれば、設置階床が「１０階」の場合、かご位置が「１１階」の場合には、Ｎが１となり、Ｎ＝１個上のかご接近情報表示ランプ１２が存在するので、それを点灯させる。かご位置が「１２階」の場合も同様で、Ｎが２となり、Ｎ＝２個上のかご接近情報表示ランプ１４を点灯させる。ところが、かご位置が「１３階」となると、Ｎが３となり、Ｎ＝３個上のかご接近情報表示ランプは設けられていないので、その代わりに、最も上の位置に配置されているかご接近情報表示ランプ１４を予め設定された点滅パターンで点滅させることになる。
かご位置が設置階床よりもＮ階下の階床にある場合も、同様で、設置階床ランプのＮ個下の位置にかご接近情報表示ランプ１２〜１５のいずれかが有れば、当該かご接近情報表示ランプを点灯させるが、設置階床ランプ１１のＮ個下の位置にかご接近情報表示ランプ１２〜１５が無ければ、その代わりに、最も下の位置に配置されているかご接近情報表示ランプを、予め設定された点滅パターンで点滅させる。すなわち、図２の例で説明すれば、設置階床が「１０階」の場合、かご位置が「９階」の場合には、Ｎが１となり、Ｎ＝１個下のかご接近情報表示ランプ１３が存在するので、それを点灯させる。かご位置が「８階」の場合も同様で、Ｎが２となり、Ｎ＝２個下のかご接近情報表示ランプ１５を点灯させる。ところが、かご位置が「７階」となると、Ｎが３となり、Ｎ＝３個下のかご接近情報表示ランプは設けられていないので、その代わりに、最も下の位置に配置されているかご接近情報表示ランプ１５を予め設定された点滅パターンで点滅させることになる。
【００２４】
また、その点滅パターンは、一定周期（上記の例では、周期２秒）で繰り返され、当該周期における点灯時間と消灯時間の比は、かご位置と設置階床との間の距離（階床差）に応じて設定され、当該距離の増加に応じて点灯時間の比率が小さくなるように設定されている。すなわち、階床差が３の場合は、点灯時間が１．５秒で、消灯時間が０．５で、その比は、３：１である。また、階床差が４の場合は、点灯時間が１．０秒で、消灯時間が１．０秒で、その比は１：１である。階床差が５の場合は、点灯時間が０．５秒で、消灯時間が１．５秒で、その比は１：３である。このように、本実施の形態では、かご位置と設置階床との間の距離（階床差）の増加に応じて点灯時間の比率が小さくなるように設定されている。
【００２５】
しかしながら、この場合に限定されず、点滅パターンは、他のパターンとしてもよい。例えば、点滅パターンの周期を、かご位置と設置階床との間の距離の増加に応じて、点滅速度が遅くなるように設定してもよい。
【００２６】
本実施の形態においては、上記のように構成することで、エレベーターの乗場表示器７の設置階床およびその階の上下２階床まではランプの点灯で、３階床以上離れた場合は点滅およびその点灯時間で、概略のかご位置を認識することができ、建物の停止階床数に関係なく、各階床で同一のエレベーターの乗場表示器７を使用することができる。
【００２７】
図３は、本実施の形態に係るエレベーターの乗場表示器７の他の例と、エレベーターの乗場表示器７の内部構成とを示した図である。図３において、図２と同じ符号は、図２と同じ構成を示すものであるため、ここでは説明を省略する。
【００２８】
図３の左図に示すように、エレベーターの乗場表示器７は、表示部１０の下側の位置に、乗場呼びボタン５，６を設けるようにしてもよい。乗場呼びボタン５，６は、乗場４でかご待ちをする利用者が押下することにより、乗場呼びを登録するためのボタンである。乗場呼びボタン５は、利用者が下方向（下降方向）の呼びを登録する場合に押下されるボタンで、乗場呼びボタン６は、利用者が上方向（昇降方向）の呼びを登録する場合に押下されるボタンである。乗場呼びボタン５，６が押下された場合、乗場呼びボタン５，６からの信号がエレベーター制御盤２５に送信され、当該乗場への乗場呼びが登録される。エレベーター制御盤２５は、当該乗場呼びにしたがって、かごを当該乗場４へ走行させる制御を行う。
【００２９】
また、図３の右図において、２１は乗場制御回路、２２はドライブ回路、２３はロータリースイッチ、２５はエレベーター制御盤、２６は通信路である。これらの構成につき、以下に説明する。
【００３０】
ドライブ回路２２は、各乗場４毎に設けられ、エレベーターの乗場表示器７の方向灯９及びかご位置表示灯８の各ランプ１１〜１７の点灯／消灯を駆動するドライブ回路である。
【００３１】
ロータリースイッチ２３は、エレベーターの乗場表示器７を各階床に据え付けるときに、作業員の操作により、当該エレベーターの乗場表示器７を設置する設置階床の情報（以下、設置階床情報）を登録するためのスイッチである。ロータリースイッチ２３は、図３に示すように、のべ２個設けられており、一方（例えば左側）は、設置階床の十の位に相当し、他方（例えば右側）は、設置階床の一の位に相当している。ロータリースイッチ２３の外周には目盛（図示省略）が表示されており、つまみ（把手）によりロータリースイッチ２３を回転させて所望の目盛に合わせることで、任意の数値にロータリースイッチ２３を設定することができる。このようにして、２つのロータリースイッチ２３をそれぞれ所望の数値に設定することにより、当該数値が設置階床情報として登録される。作業員は、このようにして、ロータリースイッチ２３を操作することにより、設置階床情報を登録する。具体的には、例えば、エレベーターの乗場表示器７を１０階に設置した場合には、作業員がロータリースイッチ２３を操作して、十の位に対応する一方のロータリースイッチ２３を「１」に設定し、一の位に対応する他方のロータリースイッチ２３を「０」に設定することで、設置階床情報として「１０階」が登録される。なお、設置階床情報は、このようにして、ロータリースイッチ２３に登録されてもよいが、テンキーなどのキーボード等の入力装置から乗場制御回路２１のメモリー内に登録される構成としてもよい。いずれの場合においても、乗場制御回路２１は、設置階床情報を必要に応じて取得することで、エレベーターの乗場表示器７の設置階床がいずれの階であるかを認識することができる。
【００３２】
エレベーター制御盤２５は、一般的に、エレベーターのかごが昇降する昇降路の最上端にある機械室内に設置されている。ただし、エレベーター制御盤２５の設置場所は、これに限定されず、いずれの場所でもよい。エレベーター制御盤２５は、乗場呼びボタン５，６による乗場呼び登録、および、かご内に設置された操作盤の行先階ボタン（図示せず）によるかご呼び登録に基づいて、かごの昇降動作を制御する。また、エレベーター制御盤２５は、現在のかごの走行方向、および、現在のかご位置を検出し、かご位置情報として乗場制御回路２１に送信する。
【００３３】
乗場制御回路２１は、各乗場４毎に設けられ、例えばＣＰＵで構成されている。乗場制御回路２１は、通信路２６を介して、エレベーター制御盤２５と通信を行う。通信路２６は、シリアル通信の通信線でも、パラレル通信の告信線のいずれで構成してもよい。また、乗場制御回路２１は、ロータリースイッチ２３によって登録された設置階床情報を読み取る。乗場制御回路２１は、エレベーター制御盤２５からのかごの走行方向の情報及びかご位置情報およびロータリースイッチ２３による設置階床情報に基づき、ドライブ回路２２を制御して、エレベーターの乗場表示器７の方向灯９及びかご位置表示灯８の点灯／消灯の動作を制御する。
【００３４】
乗場制御回路２１が、かご位置表示灯８の中の設置階床ランプ１１及びかご接近情報表示ランプ１２〜１５のいずれを、点灯させるか、あるいは、どのように点滅させるかは、設置階床と現在のかご位置との階床差と、現在のかご位置が設置階床より上方向か下方向の判定結果とから、一意に決定することができる。そのため、階床差と上方向か下方向かの判定結果とを入力パラメータとし、駆動対象のランプとその動作内容（点灯または点滅させるかの情報）を出力パラメータとするルックアップテーブルを予め作成して、乗場制御回路２１のメモリーの中に記憶させておけば、乗場制御回路２１は、当該ルックアップテーブルに階床差と上下方向の判定結果とを入力することで、かご位置表示灯８の中の駆動対象とするランプ（設置階床ランプ１１及びかご接近情報表示ランプ１２〜１５のいずれか）と、それの動作内容（点灯またはどのように点滅させるかの情報）とを当該ルックアップテーブルから抽出することができる。
【００３５】
ルックアップテーブルの一例を下記の表１に示す。当該ルックアップテーブルには、「階床差」および「判定結果」ごとに、「駆動対象ランプ」および「動作内容」が予め入力されている。従って、「階床差」および「判定結果」を入力すると、「駆動対象ランプ」および「動作内容」が一意に決定され、出力される。
【００３６】
【表１】
2016003074.tif 000003
【００３７】
具体的に例を挙げて説明すると、例えば、ロータリースイッチ２３によって登録された設置階床情報が「１０階」であったと仮定する。
このとき、エレベーター制御盤２５からのかご位置情報が「１１階」であった場合には、乗場制御回路２１は、設置階床情報の「１０階」とかご位置情報の「１１階」とを比較して、かご位置と設置階床の階床差は１で、かご位置が設置階床よりも上の階であると判定し、ルックアップテーブルから、駆動対象ランプとして「かご接近情報表示ランプ（間近）１２」の情報と、その動作内容として「点灯」の情報とを抽出して、設置階床ランプ１１の１つ上のかご接近情報表示ランプ（間近）１２を点灯させる。
同様に、エレベーター制御盤２５からのかご位置情報が「８階」であった場合には、乗場制御回路２１は、設置階床情報の「１０階」とかご位置情報の「８階」とを比較して、階床差は２で、かご位置が設置階床よりも下の階であると判定し、ルックアップテーブルから、駆動対象ランプとして「かご接近情報表示ランプ（間遠）１５」の情報と、その動作内容として「点灯」の情報とを抽出して、設置階床ランプ１１の２つ下のかご接近情報表示ランプ（間近）１５を点灯させる。
また、エレベーター制御盤２５からのかご位置情報が「７階」であった場合には、乗場制御回路２１は、設置階床情報の「１０階」とかご位置情報の「７階」とを比較して、階床差が３で、かご位置が設置階床より下の階であると判定し、ルックアップテーブルから、駆動対象ランプとして「かご接近情報表示ランプ（間遠）１５」の情報と、その動作内容として「周期２秒、点灯１．５秒、消灯０．５秒で点滅」の情報とを抽出して、設置階床ランプ１１の２つ下のかご接近情報表示ランプ（間近）１５を周期２秒で、点灯１．５秒、消灯０．５秒として、点滅させる。
【００３８】
特許文献１に記載の従来のエレベーター表示装置は、ランプに階床名が表示されており、エレベーターの走行に合わせて、エレベーター表示装置が設置された全ての階で同一ランプが点灯するので（すなわち、かご位置が２階であれば、全ての階の２階のランプが点灯する）、エレベーター表示装置の設置階床を、予め設定しておく必要はない。しかしながら、本実施の形態では、設置階床ごとに、点灯または点滅するランプが異なるため、ロータリースイッチ２３により、設置階床情報を登録しておくことが必要となる。ただし、設置階床情報の登録作業が必要となるだけで、同一のエレベーターの乗場表示器を、各階床で用いることができるため、製造コストは大幅に抑えることができる。また、図３の例では、乗場呼びボタン５，６と、ロータリースイッチ２３とを別個に設けた例を示したが、ロータリースイッチ２３を設けずに、乗場呼びボタン５，６を用いて、設置階床情報の登録を行うようにしてもよい。その場合には、ロータリースイッチ２３が不要になるので、さらに、コストを抑えることができる。なお、乗場呼びボタン５，６を用いて、設置階床情報の登録を行う場合には、エレベーターを休止させた状態で、例えば、乗場呼びボタン５，６を同時に予め設定された回数だけ押下げする等の特定の操作を行ったのちに、登録を行うようにする。こうすることで、一般の利用者による誤操作で、設置階床の登録が行われてしまうことを防止することができる。また、登録動作としては、初期値として０階が登録されており、かご呼びボタン６を押下げするたびに数値が１ずつ増加し、逆に、かご呼びボタン６を押下げするたびに数値が１ずつ減少するようにしておき、乗場呼びボタン５，６を押下げすることで、所望の階床数に設定する。設定後、再び、乗場呼びボタン５，６を同時に予め設定された回数だけ押下げする等の特定の操作を行って、設定を確定させる。なお、当該乗場呼びボタン５，６を用いた設置階床の登録操作は、この例に限定されるものではなく、適宜、設定すればよい。
【００３９】
次に、本実施の形態に係るエレベーターの乗場表示器７の動作について説明する。
まず、乗場制御回路２１は、ロータリースイッチ２３によって設定された設置階床情報を読み込み、エレベーターの乗場表示器７が設置されている階床を認識する。次に、乗場制御回路２１は、通信路２６を介してエレベーター制御盤２５と通信を行って、かご位置情報およびかご走行方向の情報（昇降または下降）を得る。乗場制御回路２１は、かご走行方向の情報に基づいて、方向灯９の中の上方向の方向灯１６と下方向の方向灯１７のいずれかを点灯させる。また、それと同時に、乗場制御回路２１は、エレベーター制御盤２５からのかご位置情報と取得した設置階床情報とを比較して、設置階床とかご位置との階床差を求めるとともに、かご位置が設置階床に対して上方向であるか下方向であるかを判定する。乗場制御回路２１は、当該階床差と上下方向の判定結果とを入力として、ルックアップテーブルから、駆動対象のランプ（かご位置表示灯８の中の設置階床ランプ１１及びかご接近情報表示ランプ１２〜１５のいずれか１つ）と、その動作内容（点灯または点滅パターン）の情報を抽出し、抽出した情報に基づく制御信号を生成してドライブ回路２２に送信する。ドライブ回路２２は、当該制御信号に基づく駆動信号を生成して、設置階床ランプ１１及びかご接近情報表示ランプ１２〜１５のいずれか１つを点灯または点滅させる。
【００４０】
以上のように、本実施の形態に係るエレベーターの乗場表示器７は、エレベーターの乗場４に設置され、エレベーターのかごの走行方向を表示する方向灯１６，１７と、現在のかご位置を表示する縦方向に配置された３個以上のかご位置表示灯１１〜１５と、エレベーターの乗場表示器７の設置階床の情報を登録する設置階床登録部（ロータリースイッチ２３）と、外部に設けられたエレベーター制御盤２５から走行方向の情報およびかご位置の情報を取得するとともに、設置階床登録部（ロータリースイッチ２３）によって登録された設置階床の情報を取得して、走行方向の情報に基づいて方向灯１６，１７の点灯動作を制御するとともに、かご位置の情報と設置階床の情報とに基づいて、かご位置表示灯１１〜１５の点灯動作を制御する乗場制御部（乗場制御回路２１，ドライブ回路２２）とを備え、かご位置表示灯１１〜１５は、縦方向の中央位置に配置され、かご位置がエレベーターの乗場表示器７の設置階床にあるときに点灯する設置階床ランプ１１と、設置階床ランプ１１の上下の位置に分かれて配置され、かご位置が設置階床より上または下の位置にあるときにそれぞれ点灯または点滅する２個以上のかご接近情報表示ランプ１２〜１５とを含み、乗場制御部（乗場制御回路２１，ドライブ回路２２）は、かご位置が設置階床よりも上の階床にあるときに、設置階床ランプ１１の上の位置に配置されているかご接近情報表示ランプ１２，１４を点灯または点滅させ、かご位置が設置階床よりも下の階床にあるときに、設置階床ランプ１１の下の位置に配置されているかご接近情報表示ランプ１３，１５を点灯または点滅させることで、かごの設置階床への接近情報を表示する。このような構成にしたので、エレベーターの乗場表示器７の据付現場で設置階床を設置階床登録部（ロータリースイッチ２３）で設定するだけで、建物毎の停止階床数や階床名に関係なく、全階床で、同一のエレベーターの乗場表示器７を用いることができる。これにより、エレベーターの乗場表示器の生産コストを抑え、生産性の向上を図ることができる。
【００４１】
なお、上記の説明においては、図２に示すように、かご接近情報表示ランプ１４、かご接近情報表示ランプ１２、設置階床ランプ１１、かご接近情報表示ランプ１３、かご接近情報表示ランプ１５が、それぞれ、縦方向に配置されている場合を例に挙げて説明したが、その場合に限らず、これらのランプを横方向に配置するようにしてもよい。その場合には、右から順に（または左から順に）、かご接近情報表示ランプ１４、かご接近情報表示ランプ１２、設置階床ランプ１１、かご接近情報表示ランプ１３、かご接近情報表示ランプ１５の順で、それぞれ、配置される。この場合も、同様の効果が得られることは言うまでもない。
【符号の説明】
【００４２】
１  エレベータードア、２  出入口枠、３  乗場壁、４  乗場、５，６  乗場呼びボタン、７  エレベーターの乗場表示器、８  かご位置表示灯、９  方向灯、１０  表示部、１１  設置階床ランプ、１２，１３  かご接近情報表示ランプ（間近）、１４，１５  かご接近情報表示ランプ（間遠）、１６  上方向の方向灯、１７  下方向の方向灯、２１  乗場制御回路、２２  ドライブ回路、２３  ロータリースイッチ、２５  エレベーター制御盤、２６  通信路。
【図１】
2016003074.tif 000004
【図２】
2016003074.tif 000005
【図３】
2016003074.tif 000006